(57)【要約】【課題】遠隔地の無線装置１０に組込まれた基準発振器２３の発振周波数ｆＶを信号線１１を用いてセンター局１２にて遠隔監視する。【解決手段】センター局１２に対して、標準周波数信号を出力する標準発振器１３と、標準周波数信号を分周する分周器１４と、分周器の出力信号を標準分周信号として無線装置へ送信する分周信号送信手段１６と、無線装置から受信した測定信号の周波数を測定する周波数測定回路２８と、周波数測定回路で測定された周波数を用いて基準周波数信号の基準周波数からの周波数偏差Δｆを算出する周波数偏差算出部２９とを付加し、無線装置１０に対して、受信した標準分周信号をてい倍するてい倍器２０と、てい倍器の出力信号で基準周波数信号をアンダーサンプリングするアンダーサンプリング回路２２と、この回路の出力信号を測定信号としてセンター局へ送信する測定信号送信手段１８とを付加する。【選択図】　　図１
2004015202.tif 000002
【特許請求の範囲】
【請求項１】
任意の移動局と無線で情報交換を行う無線装置（１０）と、センター局（１２）とを信号線（１１）で接続し、前記任意の移動局とセンター局との間で前記無線装置を中継して音声通信を行う通信システムにおける前記無線装置に組込まれた出力電波の周波数を規定する基準発振器の発振周波数を前記センター局で監視する無線装置の遠隔監視システムであって、
前記センター局（１２）は、
標準周波数信号を出力する標準発振器（１３）と、
この標準発振器から出力された標準周波数信号を分周する分周器（１４）と、
この分周器の出力信号を標準分周信号として前記無線装置へ送信する分周信号送信手段（１６）と、
前記無線装置から受信した測定信号の周波数を測定する周波数測定回路（２８）と、
この周波数測定回路で測定された周波数を用いて前記基準発振器から出力される基準周波数信号の予め定められた基準周波数からの周波数偏差を算出する周波数偏差算出部（２９）とを有し、
前記無線装置（１０）は、
前記センター局から受信した標準分周信号をてい倍するてい倍器（２０）と、
このてい倍器の出力信号で前記基準発振器から出力される基準周波数信号をアンダーサンプリングするアンダーサンプリング回路（２２）と、
このアンダーサンプリング回路の出力信号を測定信号として前記センター局へ送信する測定信号送信手段（１８）とを有した
ことを特徴とする無線装置の遠隔監視システム。
【請求項２】
前記センター局は、前記周波数偏差算出部で算出された周波数偏差を打消すための調整値に対応する周波数を有する信号を調整信号として前記無線装置へ送信する調整信号送信手段（３０，３１，３２）を有し、
前記無線装置は、前記センター局から受信した調整信号から得られる調整値にに基づいて前記基準発振器の発振周波数を調整する周波数調整手段（２４）を有した
ことを特徴とする請求項１記載の無線装置の遠隔監視システム。
【請求項３】
任意の移動局と無線で情報交換を行う無線装置（１０）と、センター局（１２）とを信号線（１１）で接続し、前記任意の移動局とセンター局との間で前記無線装置を中継して音声通信を行う通信システムにおける前記無線装置に組込まれた出力電波の周波数を規定する基準発振器の発振周波数を前記センター局で監視する無線装置の遠隔監視システムであって、
前記センター局（１２）は、
標準周波数信号を出力する標準発振器（１３）と、
この標準発振器から出力された標準周波数信号を分周する分周器（１４）と、
この分周器の出力信号を標準分周信号として前記無線装置へ送信する分周信号送信手段（１６）とを有し
前記無線装置（１０ａ）は、
前記センター局から受信した標準分周信号をてい倍するてい倍器（２０）と、
このてい倍器の出力信号で前記基準発振器から出力される基準周波数信号をアンダーサンプリングするアンダーサンプリング回路（２２）と、
このアンダーサンプリング回路から出力された信号の周波数を測定する周波数測定回路（２８ａ）と、
この周波数測定回路で測定された周波数を用いて前記基準周波数信号の予め定められた基準周波数からの周波数偏差を算出する周波数偏差算出部（２９ａ）と、
この周波数偏差算出部で算出された周波数偏差を打消すように前記基準発振器の発振周波数を調整する周波数調整手段（２４）を有した
ことを特徴とする無線装置の遠隔監視システム。
【発明の詳細な説明】
【０００１】
【発明の属する技術分野】
本発明は、任意の移動局と無線で情報交換を行う無線装置における出力電波の周波数を、信号線を介して接続されたセンター局から遠隔監視する無線装置の遠隔監視システムに関する。
【０００２】
【従来の技術】
鉄道線路上を走行する列車の乗務員に対して、例えば地上の列車運行管制室に駐在している管制員が各種指令を伝達したり、列車の乗務員から緊急の連絡を受けたりするために、図７に示す通信システムが構築されている。
【０００３】
列車１が走行する線路２に沿って例えば５００ｍ等のほぼ等間隔に多数の無線装置３が配設されている。そして、各無線装置３は線路２に沿って敷設された信号線４に接続されている。この信号線４は例えば鉄道会社の都会のターミナルの列車運行管制室に設置されたセンター局５に接続されている。各無線装置３は線路２におけるこの無線装置３の近傍を通過する列車１に搭載された列車電話等の移動局との間で無線で情報交換を行う。
【０００４】
図８は各無線装置３の概略構成を示すブロック図である。センター局５から信号線４を介して入力された音声信号ａは送受信器９で受信されたのち無線器６へ入力される。基準発振器８は、例えば、水晶発振器等で構成されており、例えば５ＭＨｚ等の基準周波数信号ｂを無線器６へ送出する。無線器６は音声信号ａで基準周波数信号ｂ又は分周された基準周波数信号ｂを変調してアンテナ７から電波出力する。
【０００５】
列車１に搭載された移動局から出力された電波はアンテナ７で受信されて受信信号として無線器６へ入力される。無線器６は入力した受信信号を音声信号ａに復調して送受信器９へ送出する。送受信器９は入力した音声信号ａを信号線４を介してセンター局５へ送信する。
【０００６】
したがって、列車１の乗務員とセンター局５の管制員とは、無線装置３を中継して会話を行うことができる。
【０００７】
このような通信システムにおいては、各無線装置３と列車１に搭載された移動局との間は電波が送受信されるので、これらの無線装置３においては、保守点検の目的や、電波法が定める規則に従って電波の周波数、占有帯域幅、送信電力等を適当な時問間隔で測定し、この無線装置３が一定基準の性能を維持しているか否かを監査し、また必要に応じて周波数、占有帯域幅、送信電力等の調整を実施する必要がある。
【０００８】
また、無線装置３は限られた周波数を全国規模で再利用していることもあって、距離的に近い異なる無線装置３どうしの周波数が一定の精度に維持されていないと混信妨害が顕著となる。
【０００９】
このような不都合を解消するために、電波法が定める周波数偏移の基準よりはるかに少ない周波数偏移に周波数を維持する必要がある。したがって、各無線装置３を頻繁に調整する必要がある。
【００１０】
特に、出力される電波の周波数を厳格に管理する必要がある。この周波数は基準発振器８の発振周波数で規定される。その基準発振器８には１００％水晶振動子が組込まれている。水晶振動子を採用した基準発振器８は、数秒程度の時間で観測した場合の周波数安定度（短期安定度）は優れているものの、数時間から数日の時間で観測した場合の安定度（長期安定度）が悪いのが欠点である。
【００１１】
しかし、長期安定度の優れた基準発振器は極めて高価で、鉄道の線路２に沿って全国規模で設置される無線装置３に組込むことは不可能である。
そのため、定期的に各無線機３が設置されている場所に保守要員が測定器を持込み前記測定や調整を実施している。
【００１２】
【発明が解決しようとする課題】
しかし、各無線装置３は鉄道の線路２に沿って一定間隔で配設されている。鉄道の線路３は全国規模で敷設されているので、無線装置３の設置台数は莫大であり、各無線装置３の測定や調整に要する労力や費用が大幅に増大する。
【００１３】
さらに、線路２は、都市や都市近郊のみならず、山間部や僻地にも敷設されており、保守要員が自動車等で簡単に現場に接近できないこともある。
【００１４】
本発明はこのような事情に鑑みてなされたものであり、音声信号を送受信するための無線装置とセンター局とを接続する信号線を用いることによって、センター局から無線装置に組込まれた基準発振器の発振周波数を遠隔監視でき、少ない費用で無線装置の点検保守に係わる労力及び時間を大幅に低減できる無線装置の遠隔監視システムを提供することを目的とする。
【００１５】
さらに、無線装置に組込まれた基準発振器の発振周波数が予め定められた基準周波数を外れた場合は自動的に基準発振器の発振周波数を調整できる無線装置の遠隔監視システムを提供することを目的とする。
【００１６】
【課題を解決するための手段】
本発明は、任意の移動局と無線で情報交換を行う無線装置と、センター局とを信号線で接続し、任意の移動局とセンター局との間で無線装置を中継して音声通信を行う通信システムにおける無線装置に組込まれた出力電波の周波数を規定する基準発振器の発振周波数をセンター局で監視する無線装置の遠隔監視システムである。
【００１７】
そして、センター局に対して、標準周波数信号を出力する標準発振器と、標準発振器から出力された標準周波数信号を分周する分周器と、分周器の出力信号を標準分周信号として無線装置へ送信する分周信号送信手段と、無線装置から受信した測定信号の周波数を測定する周波数測定回路と、周波数測定回路で測定された周波数を用いて基準発振器から出力される基準周波数信号の予め定められた基準周波数からの周波数偏差を算出する周波数偏差算出部とを付加している。
【００１８】
さらに、無線装置に対して、センター局から受信した標準分周信号をてい倍するてい倍器と、てい倍器の出力信号で基準発振器から出力される基準周波数信号をアンダーサンプリングするアンダーサンプリング回路と、アンダーサンプリング回路の出力信号を測定信号としてセンター局へ送信する測定信号送信手段とを付加している。
【００１９】
このように構成された無線装置の遠隔監視システムにおいて、センター局で信号線を介して無線装置の基準発振器の発振周波数を監視できる動作原理を説明する。
センター局と各無線装置とを接続する信号線内には、各無線装置とセンター局との間で送受信される多数の音声信号が多重化して流れるので、一つの音声信号の許容周波数帯域幅は音声帯域幅である例えば３００Ｈｚ〜３．５ｋＨｚである。したがって、無線装置とセンター局との間で送受信される信号の最大周波数は音声帯域幅である３．５ｋＨｚに制限される。
【００２０】
一方、無線装置における基準発振器の発振周波数は例えば５ＭＨｚと非常に高い。したがって、この基準発振器から出力された基準周波数信号を信号線を介して直接センター局へ送信することができない。
【００２１】
そこで、センター局に長期安定度の優れた原子発振器（ａｔｏｍｉｃ　ｏｓｃｉｌｌａｔｏｒ）等からなる標準発振器を設置し、この標準発振器から出力される高周波の標準周波数信号を分周器で前記信号線で伝送できる周波数まで分周し、この分周された標準分周信号を信号線によって無線装置へ送信する。
【００２２】
無線装置においては、この受信した標準分周信号をてい倍回路でてい倍する。なお、無線装置の基準発振器の予め定められた基準周波数は既知であるので、てい倍器の倍数を適宜設定して、てい倍された周波数が基準周波数の１／１００、１／１０００等の周波数とする。
【００２３】
このてい倍回路の出力信号でアンダーサンプリング回路において基準周波数信号をアンダーサンプリングする。したがって、このアンダーサンプリング回路の出力信号には、標準分周信号の周波数（標準値）をてい倍したてい倍周波数（標準値）と基準周波数信号の周波数（被測定周波数）との差の周波数を有するビート信号となる。アンダーサンプリング回路の出力信号は測定信号としてセンター局へ送信される。ビート信号の周波数範囲は小さいので、測定信号は信号線を伝送される。
【００２４】
センター局においては、受信した測定信号の周波数を測定することによって、基準周波数信号の周波数（被測定周波数）の基準周波数からの周波数偏差を算出することができる。
【００２５】
したがって、極めて高精度でかつ高確度に無線装置の基準発振器の発振周波数を測定できる。
【００２６】
また、別の発明においては、上述した発明の無線装置の遠隔監視システムにおいて、さらに、センター局に対して、周波数偏差算出部で算出された周波数偏差を打消すための調整値に対応する周波数を有する信号を調整信号として無線装置へ送信する調整信号送信手段を付加し、無線装置に対して、センター局から受信した調整信号から得られる調整値に基づいて基準発振器の発振周波数を調整する周波数調整手段を付加している。
【００２７】
このように構成された無線装置の遠隔監視システムにおいては、センター局から無線装置へ周波数偏差を打消すための調整値に対応する周波数を有した調整信号が送出され、無線装置において、基準発振器の発振周波数が調整される。
【００２８】
さらに別の発明の無線装置の遠隔監視システムにおいては、センター局に対して、標準周波数信号を出力する標準発振器と、標準発振器から出力された標準周波数信号を分周する分周器と、分周器の出力信号を標準分周信号として無線装置へ送信する分周信号送信手段とを付加している。
【００２９】
さらに、無線装置に対して、センター局から受信した標準分周信号をてい倍するてい倍器と、このてい倍器の出力信号で基準発振器から出力される基準周波数信号をアンダーサンプリングするアンダーサンプリング回路と、アンダーサンプリング回路から出力された信号の周波数を測定する周波数測定回路と、周波数測定回路で測定された周波数を用いて基準周波数信号の予め定められた基準周波数からの周波数偏差を算出する周波数偏差算出部と、周波数偏差算出部で算出された周波数偏差を打消すように基準発振器の発振周波数を調整する周波数調整手段を付加している。
【００３０】
このように構成された無線装置の遠隔監視システムにおいては、センター局は無線装置に対して標準分周信号を送信するのみである。そして、無線装置側において、受信した標準分周信号をてい倍し、てい倍した信号で基準周波数信号をアンダーサンプリングする。そして、アンダーサンプリング回路から出力された信号に基づいて基準発振器の発振周波数の調整が実施される。
【００３１】
【発明の実施の形態】
以下、本発明の各実施形態を図面を用いて説明する。
（第１実施形態）
図１は本発明の第１実施形態に係わる無線装置の遠隔監視システムの概略構成を示すブロック図である。
【００３２】
この第１実施形態の無線装置の遠隔監視システムは、図７に示す通信システムに適用される。線路に沿って一定間隔で設置された複数の無線装置１０は信号線１１を介してセンター局１２に接続されている。
【００３３】
センター局１２内において、長期安定度の優れた原子発振器（ａｔｏｍｉｃ　ｏｓｃｉｌｌａｔｏｒ）等からなる標準発振器１３から出力される標準周波数ｆ０（＝１０ＭＨｚ）を有する標準周波数信号ｓは分周比Ｎ１（＝３１２５）の分周器１４で分周されて標準分周信号ｓ１として、制御部１７で切換制御される切換器１５及び信号分離回路１６を介して信号線１１へ送出される。したがって、この信号分離回路１６は標準分周信号ｓ１を無線装置１０へ送出する分周信号送信手段を構成する。
【００３４】
信号分離回路１６は、図２に示すように、ＬＰＦ１６ａとＨＰＦ１６ｂとを並列接続した構成を有している。そして、このセンター局１２から信号線１１へ送出される信号の周波数を、信号線１１からセンター局１２へ入力される信号の周波数より低く設定することによって、送信信号と受信信号とを分離する。
【００３５】
したがって、信号線１１へ送出された標準分周信号ｓ１の周波数ｆ１は
ｆ１＝ｆ０／Ｎ１＝１０ＭＨｚ／３１２５＝３．２ＫＨｚ
となる。この周波数ｆ１は前述した３００〜３５００Ｈｚの音声帯域に入り、標準分周信号ｓ１は信号線１１内を十分通過することができる。
【００３６】
無線装置１０へ入力された標準分周信号ｓ１は信号分離回路１８及び切換器２０を介しててい倍（逓倍）器２１へ入力される。てい倍（逓倍）器２１は入力された標準分周信号ｓ１の周波数ｆ１を、このてい倍（逓倍）器２１に設定された倍数Ｍ倍する。この実施形態システムにおいては、Ｍ＝２に設定されている。したがって、このてい倍（逓倍）器２１の出力信号ｓ２の周波数ｆ２は
ｆ２＝Ｍ・ｆ１＝３．２ＫＨｚ×２＝６．４ＫＨｚ
となる。てい倍（逓倍）器２１の出力信号ｓ２は次のアンダーサンプリング回路２２のサンプリング端子へ入力される。
【００３７】
一方、基準発振器２３は、例えば図３に示すように、発振回路２３ａと水晶振動子２３ｂとで構成されている。そして、この水晶振動子２３ｂと接地間に介挿された可変容量ダイオード２３ｄと可変電圧源２３ｃとで周波数調整回路２４を構成している。この周波数調整回路２４の可変電圧源２３ｃの電圧Ｖｃを調整することによって、この基準発振器２３から出力される基準周波数信号ｂの周波数ｆＶを調整することが可能である。なお、実施形態システムにおいては、基準発振器２３の仕様書等で予め指定された基準周波数ｆＳは５ＭＨｚである。
【００３８】
ｆＳ＝５ＭＨｚ
そして、基準発振器２３から出力される基準周波数信号ｂの周波数ｆＶの基準周波数ｆＳからの周波数偏差をΔｆとすると、基準発振器２３から出力される基準周波数信号ｂの周波数ｆＶは下記のようになる。
【００３９】
ｆＶ＝ｆＳ＋Δｆ＝５ＭＨｚ＋Δｆ
基準発振器２３から出力された基準周波数信号ｂは無線器２５へ送出されると共に、アンダーサンプリング回路２２の信号端子へ送出される。
【００４０】
アンダーサンプリング回路２２は、図４に示すように、サンプリング端子から入力されたてい倍器２１の出力信号ｓ２に同期するサンプリング信号ｓ３を作成し、このサンプリング信号ｓ３で信号端子に入力されている基準周波数信号ｂをサンプリングして、このサンプリングした各サンプリング点の包絡線波形を信号波形とする測定信号ｃを出力する。
【００４１】
したがって、この測定信号ｃの周波数は基準周波数信号ｂの周波数ｆＶとてい倍器２１の出力信号ｓ２の周波数ｆ２との差を示すビート周波数ｆＢとなる。
【００４２】
ｆＢ＝ｆＶ―ｆ２×７８１＝１６００Ｈｚ＋Δｆ
アンダーサンプリング回路２２から出力された測定信号ｃは次の分周器２７で、信号線１１を通過可能な周波数まで周波数が低下させられる。この実施形態システムにおいては、低下させる必要がないので、分周比Ｎ２は１である。アンダーサンプリング回路２２から出力された測定信号ｃは分周器２７を経由して、信号分離回路１８を介して信号線１１へ送出される。
【００４３】
センター局１２へ入力された測定信号ｃは信号分離回路１６を介して周波数測定回路２８へ入力される。周波数測定回路２８は入力された測定信号ｃのビート周波数ｆＢを測定して、次の周波数偏差算出部２９へ送出する。周波数偏差算出部２９は、測定されたビート周波数ｆＢ（＝１６００Ｈｚ＋Δｆ）から定数項（１６００Ｈｚ）を減算して基準周波数信号ｂの周波数ｆＶの基準周波数ｆＳからの周波数偏差Δｆを算出して、次の調整電圧算出部３０へ送出する。
【００４４】
調整電圧算出部３０内には、図５に示すように、無線装置１０内における基準発振器２３の周波数偏差Δｆと調整電圧Ｖｄとの関係を示す変換テーブル３０ａが記憶されている。すなわち、図３において、基準発振器２３から出力される基準周波数信号ｂの周波数ｆＶの基準周波数ｆＳからの周波数偏差がΔｆであった場合に、この周波数偏差Δｆを０として、基準周波数信号ｂの周波数ｆＶを基準周波数ｆＳに一致させるために必要な可変電圧源２３ｃの電圧Ｖｃに対する調整電圧Ｖｄが記憶されている。
【００４５】
調整電圧算出部３０はこの変換テーブル３０ａを用いて、入力された周波数偏差Δｆを調整電圧Ｖｄに変換して次のＶ・Ｆ変換器３１へ送出する。Ｖ・Ｆ変換器３１は入力した直流の調整電圧Ｖｄを、この調整電圧Ｖｄに比例した周波数Ｆｖを有する調整信号ｄに変換する。なお、調整信号ｄの周波数Ｆｖの範囲は、音声周波数範囲に制限される。調整電圧算出部３０はこの調整信号ｄを調整信号送信部３２へ送出する。調整信号送信部３２は入力された調整信号ｄを切換器１５及び信号分離回路１６を介して信号線１１へ送出する。
【００４６】
無線装置１０へ入力された調整信号ｄは信号分離回路１８及び切換器２０を介してＦ・Ｖ変換器３３へ入力される。Ｆ・Ｖ変換器３３はこの入力された周波数Ｆｖの調整信号ｄを元の直流の調整電圧Ｖｄに変換して、次の周波数調整回路２４へ送出する。
【００４７】
周波数調整回路２４は、図３に示す可変電圧源２３ｃの電圧Ｖｃをこの入力された調整電圧Ｖｄだけ調整する。その結果、基準発振器２３から出力される基準周波数信号ｂの周波数ｆＶを基準周波数ｆＳに一致する。
【００４８】
次に、センター局１２と無線装置１０を介して列車に搭載された移動局との間で実施される通常の音声会話を説明する。
【００４９】
列車運行管制室に駐在している管制員がセンター局１２の電話端末３４に入力した音声は音声信号ａに変換されて、送受信器３５、信号分離回路１６を介して信号線１１へ送出される。センター局１２へ入力された音声信号ａは信号分離回路１８を介して送受信器３６で受信されて、無線器２５へ入力される。無線器２５は、音声信号ａで基準周波数信号ｂ又は分周された基準周波数信号ｂを変調してアンテナ２６から電波出力する。
【００５０】
列車に搭載された移動局から出力された電波はアンテナ２６で受信されて受信信号として無線器２６へ入力される。無線器２５は入力した受信信号を音声信号ａに復調して送受信器３６へ送出する。送受信器３６は入力した音声信号ａを信号分離回路１８及び信号線１１を介してセンター局１２へ送信する。
【００５１】
センター局１２へ入力された音声信号ａは信号分離回路１６を介して送受信器３５で受信されて、電話端末３４で音声に変換される。したがって、列車の乗務員とセンター局１２の管制員とは、無線装置１０を中継して会話を行うことができる。
【００５２】
このように構成された第１実施形態の遠隔監視システムにおいて、保守点検のために、無線装置１０の基準発振器２３から出力される基準周波数信号ｂの周波数ｆＶを監視したり、調整する必要が生じた場合、保守点検作業員は、センター局１２の制御部１７を制御して調整動作モードに設定する。すると、切換器１５が分周器１４側に切換えられて、標準発振器１３が起動し、分周された標準分周信号ｓ１が信号線１１を介して無線装置１０へ送信される。
【００５３】
無線装置１０側において、標準分周信号ｓ１が受信されると制御部１９が調整動作モードに設定設定され、この標準分周信号ｓ１を用いて、基準発振器２３から出力される基準周波数信号ｂがアンダーサンプリングされ、周波数偏差Δｆの情報を含む測定信号ｃがセンター局１２へ送信される。センター局１２は、受信した測定信号ｃから周波数偏差Δｆを測定する。
【００５４】
さらに、センター局１２にて周波数偏差Δｆを打ち消すための調整電圧Ｖｄが求められ、調整信号ｄとして、無線装置１０へ送信される。そして、基準発振器２３から出力される基準周波数信号ｂの周波数ｆＶが基準周波数ｆＳに一致するように自動的に調整される。
【００５５】
このように、信号線１１上を伝送される標準分周信号ｓ１、測定信号ｃ、調整信号ｄの各周波数ｆ１、ｆＢ、Ｆｄは前述した３００〜３５００Ｈｚの音声帯域に入るので、センター局１２から遠隔地に配設された無線装置１９の基準発振器２３の周波数ｆＶを監視できかつ基準周波数ｆＳに調整できる。
【００５６】
よって、保守点検作業員が無線装置１０の設置場所に赴く必要がないので、少ない費用で無線装置１０の点検保守に係わる労力及び時間を大幅に低減できる。
【００５７】
なお、信号線１１は、前述したように、管制員と列車の乗務員との通話のために使用されるが、必ずしも２４時間使用されている訳ではない。したがって、信号線１１が本来の通話目的で使用されている時間を除けば、実施形態システムで示した周波数の調整目的で使用することが可能である。
【００５８】
なお、仮に信号線１１が本来の通話目的で使用されている場合でも、信号線１１で伝送できる３００〜３５００Ｈｚの周波数帯のすべてを使用している訳ではないので、本来の通話目的で使用されている周波数帯に対して重複しない周波数帯を使用して周波数の調整目的を果たすことができる。
【００５９】
実際、周波数測定および周波数調整の目的で伝送される信号は線スペクトル、またはそれに近い信号であるので殆んど周波数帯を占有しない。したがって、たとえ信号線１１が本来の通話目的で使用されている場合であっても、周波数多重化技術を使って容易に周波数の調整目的を果たすことができる。
【００６０】
さらに、図３に示すように、基準発振器２３は、水晶振動子２３ｇによる発振周波数ｆＶの長期安定度が悪いが、周波数偏移を生じさせる要因の主なものは経時変化なので、数週間とか数カ月の間隔で、実施形態システムを用いて周波数測定または周波数調整を実施すれば、目的とする周波数精度を十分維持できる。
【００６１】
（第２実施形態）
図６は本発明の第２実施形態に係わる無線装置の遠隔監視システムにおける無線装置１０ａの概略構成を示すブロック図である。図１に示す第１実施形態の遠隔監視システムと同一部分には同一符号を付して重複する部分の詳細説明を省略する。
【００６２】
この第２実施形態の遠隔監視システムにおける無線装置１０ａ内には、図１の第１実施形態のセンター局１２から移動された周波数測定回路２８ａ、周波数偏差算出部２９ａ、調整電圧算出部３０ｂが組込まれている。
【００６３】
そして、この第２実施形態の遠隔監視システムにおけるセンター局１２ａ内には、図１における、標準発振器１３、分周器１４、信号分離回路１６、送受信器３５，電話端末３４が組込まれているが、周波数測定回路２８、周波数偏差算出部２９、調整電圧算出部３０、Ｖ・Ｆ変換器３１、調整信号送出部３２は組込まれていない。
【００６４】
このような構成の第２実施形態の遠隔監視システムにおいて、無線装置１０ａの基準発振器２３から出力される基準周波数信号ｂの周波数ｆＶを調整する場合、センター局１２ａから周波数ｆ１を有する基準分周信号ｓ１が無線装置１０ａへ送信される。
【００６５】
無線装置１０へ入力された標準分周信号ｓ１は信号分離回路１８を介しててい倍（逓倍）器２１へ入力される。てい倍（逓倍）器２１は入力された標準分周信号ｓ１の周波数ｆ１をＭ倍する。てい倍（逓倍）器２１の出力信号ｓ２は次のアンダーサンプリング回路２２のサンプリング端子へ入力される。アンダーサンプリング回路２２の信号端子には、基準発振器２３から出力された基準周波数信号ｂが入力されている。
【００６６】
アンダーサンプリング回路２２は、サンプリング端子から入力されたてい倍器２１の出力信号ｓ２に同期するサンプリング信号ｓ３を作成し、このサンプリング信号ｓ３で信号端子に入力されている基準周波数信号ｂをサンプリングして、ビート周波数ｆＢを有する測定信号ｃを出力する。
【００６７】
このアンダーサンプリング回路２２から出力された測定信号ｃは次の周波数測定回路２８ａへ入力される。周波数測定回路２８ａは入力された測定信号ｃのビート周波数ｆＢを測定して、次の周波数偏差算出部２９ａへ送出する。周波数偏差算出部２９ａは、測定されたビート周波数ｆＢ（＝１６００Ｈｚ＋Δｆ）から定数項（１６００Ｈｚ）を減算して基準周波数信号ｂにおける周波数ｆＶの基準周波数ｆＳからの周波数偏差Δｆを算出して、次の調整電圧算出部３０ａへ送出する。
【００６８】
調整電圧算出部３０ｂは変換テーブル３０ａを用いて、入力された周波数偏差Δｆを調整電圧Ｖｄに変換して周波数調整回路２４へ送出する。周波数調整回路２４は、図３に示す可変電圧源２３ｃの電圧Ｖｃをこの入力された調整電圧Ｖｄだけ調整する。その結果、基準発振器２３から出力される基準周波数信号ｂの周波数ｆＶが基準周波数ｆＳに一致する。
【００６９】
このように構成された第２実施形態の無線装置の遠隔監視システムにおいては、各無線装置１０ａにおける基準発振器２３の周波数ｆＶを調整する場合、センター局１２ａは各無線装置１０ａに対して、標準発振器１３の標準周波数ｆ０を分周器１４で１／Ｎ１に分周した標準分周信号ｓ１を各無線装置１０ａへ送信するのみでよい。すなわち、各無線装置１０ａは標準分周信号ｓ１を受信するとこの標準分周信号ｓ１を用いて自己の基準発振器２３の周波数ｆＶを自動調整する。
【００７０】
したがって、図１に示す第１実施形態の無線装置の遠隔監視システムとほぼ同様の技術的効果を得ることができる。さらに、この第２実施形態システムにおいては、周波数調整のために、信号線１１上を伝送される信号は標準分周信号ｓ１のみとなるので、センター局１２ａと各無線装置１０ａにおける信号の送受信管理が容易になる。
【００７１】
但し、この第２実施形態システムにおいては、全ての無線装置１０ａに対して、周波数測定回路２８ａ、周波数偏差算出部２９ａ、調整電圧算出部３０ｂを組込む必要があるので、遠隔監視システム全体の製造費が上昇する。
【００７２】
【発明の効果】
以上説明したように、本発明の無線装置の遠隔監視システムにおいては、帯域制限された音声信号を送受信するための無線装置とセンター局とを接続する信号線を、無線装置とセンター局との間における周波数情報の送受信用に用いている。
【００７３】
したがって、センター局から無線装置に組込まれた基準発振器の発振周波数を遠隔監視でき、少ない費用で無線装置の点検保守に係わる労力及び時間を大幅に低減できる。
【００７４】
さらに、無線装置に組込まれた基準発振器の発振周波数が基準周波数を外れた場合は自動的に基準発振器の発振周波数が調整される。
【図面の簡単な説明】
【図１】本発明の第１実施形態に係わる無線装置の遠隔監視システムの概略構成を示すブロック図
【図２】同第１実施形態に係わる無線装置の遠隔監視システムに込まれた信号分離回路を示す図
【図３】同第１実施形態に係わる無線装置の遠隔監視システムの無線装置に組込まれた基準発振器の回路図
【図４】同第１実施形態に係わる無線装置の遠隔監視システムの無線装置に組込まれたアンダーサンプリング回路の動作を示す波形図
【図５】同第１実施形態に係わる無線装置の遠隔監視システムのセンター局の調整電圧算出部内に形成された変換テーブルを示す図
【図６】本発明の第２実施形態に係わる無線装置の遠隔監視システムの概略構成を示すブロック図
【図７】一般的な通信システムを示す模式図
【図８】この通信システムに組込まれた無線装置の概略構成図
【符号の説明】
１…列車
２…線路
１０、１０ａ…無線装置
１２，１２ａ…センター局
１３…標準発振器
１４，２７…分周器
１５，２０…切換器
１６，１８…信号分離回路
２１…てい倍器
２２…アンダーサンプリング回路
２３…基準発振器
２４…周波数調整回路
２５…無線器
２６…アンテナ
２８，２８ａ…周波数測定回路
２９，２９ａ…周波数偏差算出部
３０，３０ｂ…調整電圧算出部
３１…Ｖ・Ｆ変換器
３２…調整信号送出部
３３…Ｆ・Ｖ変換部
【図１】
2004015202.tif 000003
【図２】
2004015202.tif 000004
【図３】
2004015202.tif 000005
【図４】
2004015202.tif 000006
【図５】
2004015202.tif 000007
【図６】
2004015202.tif 000008
【図７】
2004015202.tif 000009
【図８】
2004015202.tif 000010